【事件の表示】
　特許第２９３６６４３号「静電荷像現像用トナー」の請求項１ないし６に係る特許に対する特許異議の申立てについて、次のとおり決定する。
【結　論】
　訂正を認める。
　特許第２９３６６４３号の請求項１ないし５に係る特許を維持する。
【理　由】
Ｉ．手続の経緯
　本件特許第２９３６６４３号は、平成２年５月２日に出願され、平成１１年６月１１日にその特許の設定登録がなされ、その後、三井化学株式会社及びコニカ株式会社より特許異議の申立があり、取消理由通知がなされ、その指定期間内である平成１２年９月１４日付で訂正請求がなされたものである。
II．訂正の適否
１．訂正事項
〔訂正事項ａ〕
　特許請求の範囲の、
「【請求項１】多価アルコール成分としてシクロヘキサンジメタノールを必須成分とするポリエステル樹脂を結着樹脂として用いてなる静電荷像現像用トナー。
【請求項２】ポリエステル樹脂が多塩基酸成分として芳香族多塩基酸を必須成分とする請求項第１項記載のトナー。
【請求項３】多価アルコール成分としてシクロヘキサンジメタノールとビスフェノールＡアルキレンオキサイド付加物を必須成分とするポリエステル樹脂を結着樹脂として用いてなる静電荷像現像用トナー。
【請求項４】多塩基酸成分としてテレフタル酸を必須成分とし、多価アルコール成分としてシクロヘキサンジメタノールとビスフェノールＡアルキレンオキサイド付加物を必須成分としてなるポリエステル樹脂を結着樹脂として用いてなる静電荷像現像用トナー。
【請求項５】シクロヘキサンジメタノールが全多価アルコール中５〜８０モル％である請求項第４項記載のトナー。
【請求項６】ポリエステル樹脂が多塩基酸成分として３官能以上の多塩基酸を用いてなる請求項第１項記載のトナー。」との記載を、
「【請求項１】多価アルコール成分としてシクロヘキサンジメタノールとビスフェノールＡアルキレンオキサイド付加物を必須成分とするポリエステル樹脂を結着樹脂として用いてなる静電荷像現像用トナー。
【請求項２】ポリエステル樹脂が多塩基酸成分として芳香族多塩基酸を必須成分とする請求項第１項記載のトナー。
【請求項３】多塩基酸成分としてテレフタル酸を必須成分とし、多価アルコール成分としてシクロヘキサンジメタノールとビスフェノールＡアルキレンオキサイド付加物を必須成分としてなるポリエステル樹脂を結着樹脂として用いてなる静電荷像現像用トナー。
【請求項４】シクロヘキサンジメタノールが全多価アルコール中５〜８０モル％である請求項第３項記載のトナー。
【請求項５】ポリエステル樹脂が多塩基酸成分として３官能以上の多塩基酸を用いてなる請求項第１項記載のトナー。」と訂正する。
〔訂正事項ｂ〕　
　明細書第４頁第１０行（特許公報第２頁第３欄第２９行参照）の、
「シクロヘキサンジメタノール」との記載を、
「シクロヘキサンジメタノールとビスフェノールＡアルキレンオキサイド付加物」と訂正する。
〔訂正事項ｃ〕　
　明細書第５頁第７行（特許公報第２頁第３欄第４２行〜第４３行参照）の、
「シクロヘキサンジメタノール」との記載を、
「シクロヘキサンジメタノールとビスフェノールＡアルキレンオキサイド付加物」と訂正する。
〔訂正事項ｄ〕　
　明細書第６頁第６行〜第７行（特許公報第２頁第４欄第１０行参照）の、
「の併用が好ましいが」との記載を、
「を併用するものであるが」と訂正する。
〔訂正事項ｅ〕　
　明細書第９頁第３行〜第５行（特許公報第３頁第５欄第１０行〜第６欄第１行参照）の、
「シクロヘキサンジメタノール１５４４部（１０．７モル相当）、イソフタル酸１６６０部（１０モル相当）」との記載を、
「シクロヘキサンジメタノール７９２部（５．５モル相当）、ビスフェノールＡアルキレンオキサイド２．２モル付加物１７８９部（５．５モル相当）、イソフタル酸８３０部（５モル相当）、テレフタル酸８３０部（５モル相当）」と訂正する。
〔訂正事項ｆ〕　
　明細書第９頁第１１行（特許公報第３頁第６欄第６行参照）の、
「合成例２〜８」との記載を、
「合成例２〜５」と訂正する。
〔訂正事項ｇ〕　
　明細書第１０頁（特許公報第４頁参照）表−１中、明細書第１１頁（特許公報第５頁参照）表−２中、合成例Ｎｏの「１」、「４」の項を削除する。
〔訂正事項ｈ〕　
　明細書第１０頁（特許公報第４頁参照）表−１中、明細書第１１頁（特許公報第５頁参照）表−２中、合成例Ｎｏの「５」の項を削除する。
〔訂正事項ｉ〕　
　明細書第１０頁（特許公報第４頁参照）表−１中、明細書第１１頁（特許公報第５頁参照）表−２中、合成例Ｎｏの「２」「３」「６」「７」「８」をそれぞれ「１」「２」「３」「４」「５」と訂正する。
〔訂正事項ｊ〕
　明細書第１２頁第１行及び第２行（特許公報第５頁第９欄第４６行及び第４７行参照）の、
「実施例１〜８」との記載を、
「実施例１〜５」と訂正する。
〔訂正事項ｋ〕　
　明細書第１３頁（特許公報第６頁参照）表−３中、実施例Ｎｏ及び使用樹脂の「１」、「４」の項を削除する。
〔訂正事項ｌ〕　
　明細書第１３頁（特許公報第６頁参照）表−３中、実施例Ｎｏ及び使用樹脂の「５」の項を削除する。
〔訂正事項ｍ〕
　明細書第１３頁（特許公報第６頁参照）表−３中、実施例Ｎｏ及び使用樹脂の「２」「３」「６」「７」「８」をそれぞれ「１」「２」「３」「４」「５」と訂正する。
２．訂正の目的の適否、新規事項追加の有無、及び特許請求の範囲の実質上の拡張又は変更の存否
　訂正事項ａは、訂正前の特許請求の範囲請求項１において、ビスフェノールＡアルキレンオキサイド付加物を必須成分として加えることにより多価アルコール成分をさらに特定し、構成の重複する請求項３を削除するとともに請求項４ないし請求項６を繰り上げて請求項３ないし請求項５とするものであるから、特許請求の範囲の減縮並びに明瞭でない記載の釈明を目的とするものである。またこの訂正は、願書に添付された明細書の記載により支持されているから、特許明細書に記載された事項の範囲内のものであり、実質上特許請求の範囲を拡張し又は変更するものでもない。
　訂正事項ｂ〜ｄは、特許請求の範囲の訂正によって生じた明細書の記載中の不整合部分を、特許請求の範囲の記載に合わせて訂正するものであり、また、訂正事項ｅ〜ｇ、ｉ〜ｋ、ｍは、特許請求の範囲の訂正によって発明の範囲外となった実施例を削除し、他の実施例を順に繰り上げてその整合を図るものであるから、明瞭でない記載の釈明を目的とするものである。またこれらの訂正は、いずれも願書に添付した明細書に記載した事項の範囲内のものであり、特許請求の範囲を実質的に拡張し又は変更するものでもない。
　訂正事項ｈ、ｌは、酸成分の項に誤記があった実施例を削除するものであるから、誤記の訂正を目的とするものである。またこの訂正は、願書に添付した明細書に記載した事項の範囲内のものであり、特許請求の範囲を実質的に拡張し又は変更するものでもない。
３．訂正の適否の結論
　以上のとおりであるから、本件訂正請求は、特許法等の一部を改正する法律（平成６年法律１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
III．特許異議申立について
１．本件発明
　本件請求項１ないし請求項５に係る発明は、訂正後の特許請求の範囲の請求項１ないし請求項５に記載された以下のとおりである。
「【請求項１】多価アルコール成分としてシクロヘキサンジメタノールとビスフェノールＡアルキレンオキサイド付加物を必須成分とするポリエステル樹脂を結着樹脂として用いてなる静電荷像現像用トナー。
【請求項２】ポリエステル樹脂が多塩基酸成分として芳香族多塩基酸を必須成分とする請求項第１項記載のトナー。
【請求項３】多塩基酸成分としてテレフタル酸を必須成分とし、多価アルコール成分としてシクロヘキサンジメタノールとビスフェノールＡアルキレンオキサイド付加物を必須成分としてなるポリエステル樹脂を結着樹脂として用いてなる静電荷像現像用トナー。
【請求項４】シクロヘキサンジメタノールが全多価アルコール中５〜８０モル％である請求項第３項記載のトナー。
【請求項５】ポリエステル樹脂が多塩基酸成分として３官能以上の多塩基酸を用いてなる請求項第１項記載のトナー。」
２．申立ての理由の概要
　特許異議申立人　三井化学株式会社は、証拠として甲第１号証（特開昭６０−５５３５８号公報、以下、「刊行物１」という）、甲第２号証（特開昭５９−２２８６６２号公報、以下、「刊行物２」という）、及び甲第３号証（特開昭６３−１７２７２７号公報、以下、「刊行物３」という）を提出し、訂正前の本件請求項１ないし請求項４、及び請求項６に係る発明は、本件出願前に頒布されたことが明らかな刊行物である上記甲第１号証ないし甲第３号証に記載された発明であるから、特許法第２９条第１項第３号の規定により特許を受けることができないものであり、また、訂正前の本件請求項５に係る発明は、本件出願前に頒布されたことが明らかな刊行物である上記甲第１号証ないし甲第３号証に記載された発明に基づいて当業者が容易に発明をすることができたものであるから、特許法第２９条第２項の規定により特許を受けることができないものであり、よって訂正前の本件請求項１ないし請求項６に係る特許は、特許法第１１３条第２号の規定により取り消されるべきものであると主張している。
　特許異議申立人　コニカ株式会社は、証拠として甲第１号証（特開昭５９−１３３５６０号公報、以下、「刊行物４」という）、甲第２号証（特開昭５９−１２８５５８号公報、以下、「刊行物５」という）、及び甲第３号証（特開昭５６−６５１４６号公報、以下、「刊行物６」という）を提出し、訂正前の本件請求項１及び請求項２に係る発明は、本件出願前に頒布されたことが明らかな刊行物である上記甲第１号証ないし甲第３号証に記載された発明であるから、特許法第２９条第１項第３号の規定により特許を受けることができないものであり、よって訂正前の本件請求項１及び請求項２に係る特許は、特許法第１１３条第２号の規定により取り消されるべきものであると主張している。
３．証拠の検討
　刊行物１には、下記の記載がある。
　１−イ：「主としてバインダー樹脂と有彩色着色剤からなる静電荷像現像用カラートナーにおいて、該バインダー樹脂が多価アルコールと多価カルボン酸との縮合反応によって合成され、クロロホルム溶媒に対する不溶分を有するポリエステル樹脂であることを特徴とする静電荷像現像用カラートナー。」（特許請求の範囲）
　１−ロ：クロロホルム溶媒に対する不溶分を有することについて、「本発明のトナーは、そのバインダーが特定量のクロロホルムに不溶な高分子量成分を含有するポリエステル樹脂より成るものであるため、後述する実施例の説明からも明らかなように、低い軟化点と高いオフセット発生温度とを有し、しかもそれらの温度点が適当な高さにあり、従って広くて高さの好適な定着可能温度域が得られる。」（公報第３頁右上欄第６行〜第１２行）
　１−ハ：ポリエステル樹脂について、「本発明においてバインダーとして用いられるポリエステル樹脂は、多価アルコールと多価カルボン酸との縮重合によって得られるが、用いられるアルコールとしては、例えば・・・・・、１，４−ビス（ヒドロキシメチル）シクロヘキサン、・・・・・ポリオキシエチレン化ビスフェノールＡ、ポリオキシプロピレン化ビスフェノールＡ等のエーテル化ビスフェノール類、その他の二価のアルコール単量体を挙げることができる。又カルボン酸としては、例えば・・・・・テレフタル酸、・・・・・、その他の二価の有機酸単量体を挙げることができる。本発明のトナーに用いられるポリエステル樹脂としては、以上の二官能性単量体のみによる重合体のみでなく、三官能以上の多官能性単量体による成分を含有する重合体を用いることも好適である。」（公報第３頁右下欄第１１行〜第４頁左上欄第１７行）
　刊行物２には、下記の記載がある。
　２−イ：「１．酸価数１０〜６０の非線状化ポリエステルと、多価有機金属化合物とｐＨ８〜１０、表面積３〜１０ｍ２　／ｇの磁性体を含むことを特徴とする磁性トナー。」（特許請求の範囲第１項）
　２−ロ：樹脂の酸価について、「酸価１０未満では、良好な帯電性を得ることができず、又、金属錯体による架橋も不充分で充分な耐オフセット性を得られない。又、酸価６０を越えると樹脂の親水性が増し、環境変動（特に高湿時）の影響を受けやすくなる。」（公報第３頁右上欄第１６行〜左下欄第１行）
　２−ハ：非線状化ポリエステル樹脂について、「本発明に用いられる酸価数１０〜６０の非線状化ポリエステル樹脂は酸成分として、テレフタル酸、イソフタル酸、・・・・・等がある。又、アルコール成分としては、・・・・・、１，４−シクロヘキサンジメタノール等の脂環族ポリオール、・・・・・、ビスフェノールＡのエチレンオキシド又はプロピレンオキシド付加物等、・・・・・が使用できる。」（公報第３頁左下欄第９行〜第４頁左上欄第３行）
  ２−ニ：トナーのブロッキングと低温定着性について、「本発明に用いるポリエステルは、そのガラス転移温度が５０〜８０℃、軟化点が６０〜１３０℃であることが好ましい。ガラス転移温度が５０℃未満あるいは軟化点が６０℃未満の場合には得られたトナーが保存時にブロッキングする傾向がある。一方ガラス転移温度が８０℃を超えるか、あるいは軟化点が１３０℃以上の場合は、定着時に過大の熱量を必要とするため目的とする低温定着性がそこなわれる。」（公報第４頁左上欄第９行〜第１７行）
　刊行物３には、３価のカルボン酸成分、２価のカルボン酸成分及びジオール成分を反応せしめてなる架橋ポリエステル樹脂の製造方法が記載されており（特許請求の範囲参照）、トナー等のオフセット性改良のために架橋系のポリエステルが用いられること（公報第１頁右下欄下から６行〜下から３行参照）、２価のカルボン酸としてテレフタル酸等、ジオール成分としてシクロヘキサンジメタノール、ポリオキシプロピレン（２．０）−２，２−ビス（４−ヒドロキシフェニル）プロパン、ポリオキシエチレン（２．０）−２，２−ビス（４−ヒドロキシフェニル）プロパン等が用いられること（公報第２頁左下欄第４行〜第３頁右上欄第４行参照）が記載されている。
　刊行物４には、下記の記載がある。
  ４−イ：「結合樹脂、着色剤及びトリメチルシリル基を有するシリカ粉末を含有してなる乾式静電荷像現像用トナー。」（特許請求の範囲第１項）
　４−ロ：結合樹脂について、「上記結合樹脂の代表例としてはビニル重合体、ポリエステル樹脂、エポキシ樹脂などがあり、これらは単独あるいは２種以上が使用される。」（公報第２頁右上欄第４行〜第６行）
　４−ハ：ポリエステル樹脂について、「ポリエステル樹脂は，・・・・・，イソフタル酸，テレフタル酸，・・・・・、トリメリット酸，トリメシン酸，ピロメリット酸，・・・・・のカルボン酸成分と・・・・・シクロヘキサンジメタノール，・・・・・ビスフェノールＡとエチレンオキシドあるいはプロピレンオキシドとの反応物などのアルコール成分，・・・・を適当な割合で反応させて得られるものである。」（公報第２頁右下欄第１２行〜第３頁右上欄第５行）
　４−ニ：ポリエステルの合成例として、「合成例２（ポリエステル樹脂の製造）　テレフタル酸８３０部，イソフタル酸７４７部，アジピン酸７３部，１，６−ヘキサンジオール７１部，ネオペンチルグリコール９０５部，１，４−シクロヘキサンジメタノール５８部，トリメチロールエタン１４９部およびジブチル錫オキサイド８部を反応容器に入れ１９０℃で５時間保温後，温度を２３０℃に上げて反応を促進した。次いで反応温度を１８０℃に下げ３，６−エンドメチレン１，２，３，６−テトラヒドロ無水フタル酸１５４部，無水トリメリット酸２７１部を加えて３時間反応させて酸価７３，軟化点１２０℃のポリエステル樹脂を得た。」（公報第４頁右上欄第１３行〜左下欄第６行）
　刊行物５には、下記の記載がある。
　５−イ：「１．ポリエステル樹脂及び着色剤を含有してなる電子写真現像剤用トナーにおいて，該ポリエステル樹脂としてアルコール成分であるエチレングリコール成分を全構成成分に対して２５モル％以上含有するポリエステル樹脂を使用してなる電子写真現像剤用トナー。
２．ポリエステル樹脂が軟化点７０〜１７０℃のポリエステル樹脂である特許請求の範囲第１項記載の電子写真現像剤用トナー。」（特許請求の範囲）
　５−ロ：ポリエステル樹脂について、「上記ポリエステル樹脂は，カルボン酸成分，アルコール成分および／またはオキシカルボン酸成分で構成される。カルボン酸成分としては特に制限はなく周知の原料が使用できる。具体例としては・・・・・，イソフタル酸，・・・・テレフタル酸，・・・・，トリメリット酸，ピロメリット酸，トリメシン酸，・・・・・など，１種又は２種以上が使用される。アルコール成分としては・・・・・１，４−シクロヘキサンジメタノール，・・・・・ビスフェノールＡとエチレンオキシドあるいはプロピレンオキシドの反応物を併用することができる。」（公報第２頁左上欄第２０行〜第３頁右下欄第７行）」
　５−ハ：実施例として、「実施例３　テレフタル酸２８２部（１．７モル），イソフタル酸３１５部（１．９モル），エチレングリコール１８６部（３．０モル），ネオペンチルグリコール３１部（０．３モル），１，４−シクロヘキサンジメタノール２９部（０．２モル），１，６ヘキサンジオール２２部（０．２モル），ジブチル錫オキサイド１．６部を反応容器に仕込み，１９０℃で７時間保温後，約３時間かけて温度を２２０℃に上げ反応を促進した後，反応温度を１８０℃に下げ無水トリメリット酸６０部（０．３モル）を加えて３時間反応させて，軟化点が１２５℃，数平均分子量が３，３００のポリエステル樹脂（全構成成分中のエチレングリコール含有率は４０．５モル％）を得た。次いで該ポリエステル樹脂８５部をカーボンブラック１５部と共に溶融混合した後，粉砕，分級して１０〜４０μｍの粒子を得，更に該粒子４部と球状鉄粉キャリヤー（平均粒径１００μｍ）９６部を混合して二成分系電子写真用現像剤を製造した。この後，実施例１と同様にして，付着移行性を調べたところ，印刷物に異常はなく，鮮明な画像を維持していた。」（公報第４頁左下欄第１８行〜右下欄第１９行）
　刊行物６には、下記の記載がある。
  ６−イ：「バインダーがガラス転移温度４０℃以上、軟化点８０〜１５０℃および数平均分子量１，０００〜１０，０００の非晶性ポリエステル５０〜９５重量％とガラス転移温度０℃以上、融点１１０℃〜２２０℃および数平均分子量３，０００〜４０，０００の結晶性ポリエステル５０〜５重量％からなることを特徴とする電子写真用トナー。」（特許請求の範囲）
　６−ロ：非晶性および結晶性ポリエステルについて、「本発明の非晶性および結晶性ポリエステルは酸成分としてテレフタル酸、イソフタル酸、フタル酸、・・・・・、トリメリット酸、ピロメリット酸、ベンゾフェノンテトラカルボン酸等の芳香族ポリカルボン酸、・・・・・があり、アルコール成分としては、・・・・・、１，４−シクロヘキサンジメタノール等の脂環族ポリオール、ビスフェノールＡのエチレンオキシド又はプロピレンオキシド付加物等を挙げることができる。」（公報第２頁左下欄第１６行〜右下欄第１４行）
　６−ハ：結晶性ポリエステルについて、「本発明のガラス転移温度０℃以上、融点１１０℃〜２２０℃、および数平均分子量３，０００〜４０，０００を有する結晶性ポリエステルは芳香族ポリカルボン酸成分が５０モル％以上、望ましくは７０モル％以上含まれ、芳香族ポリカルボン酸の少くとも５０モル％はテレフタル酸であることが好ましい。アルコール成分は、エチレングリコール、１，４−ブタンジオール、１，４−シクロヘキサンジメタノールを単独もしくは併用することにより６０モル％以上、望ましくは８０モル％以上含む。」（公報第３頁右上欄第１行〜第１１行）
　６−ニ：実施例２として、非晶性ポリエステルＡ−２（テレフタル酸５０モル％、イソフタル酸４０モル％、コハク酸１０モル％、エチレングリコール９５モル％、トリメチロールプロパン５モル％）７５％、結晶性ポリエステルＢ−２（テレフタル酸７５モル％、セバシン酸２５モル％、エチレングリコール６２モル％、１，４−シクロヘキサンジメタノール３８モル％）２５％を使用したトナー（公報第４頁右上欄第６行〜第５頁右上欄第１２行、および第１表、第２表参照）
４．対比・判断
ａ．特許法第２９条第１項第３号違反について
（請求項１について）
　刊行物１との対比：
　訂正後の本件請求項１に係る発明（以下、「本件発明１」という）と、上記刊行物１記載の発明とを比較すると、両者は「ポリエステル樹脂を結着樹脂として用いてなる静電荷像現像用トナー」である点で共通するものであるが、本件発明１においては、ポリエステル樹脂が「多価アルコール成分としてシクロヘキサンジメタノールとビスフェノールＡアルキレンオキサイド付加物を必須成分」としているのに対して、刊行物１記載の発明においては、多価アルコール成分の特定がなされていない点において、構成上の差異がある（上記記載１−イ参照）。この点について検討するに、刊行物１には、ポリエステル樹脂の多価アルコール成分として多数の化合物が例示されている中に、１，４ビス（ヒドロキシメチル）シクロヘキサン、ポリオキシエチレン化ビスフェノールＡ、ポリオキシプロピレン化ビスフェノールＡも記載されてはいるが（上記記載１−ハ参照）、特にこれらを併用して用いることについては何も記載がなく、実施例においても、多価アルコール成分としてポリオキシプロピレン（２，２）−２・２−ビス（４−ヒドロキシフェニル）プロパンとペンタエリスリトール（実施例１参照）、１，４−ブタンジオール（実施例２参照）を用いることが記載されているだけである。
　よって、刊行物１には「多価アルコール成分としてシクロヘキサンジメタノールとビスフェノールＡアルキレンオキサイド付加物を必須成分」とする点が記載されていないことから、本件発明１が上記刊行物１に記載されているとすることはできない。
　刊行物２との対比：
　本件発明１と、上記刊行物２記載の発明とを比較すると、両者は「ポリエステル樹脂を結着樹脂として用いてなる静電荷像現像用トナー」である点で共通するものであるが、本件発明１においては、ポリエステル樹脂が「多価アルコール成分としてシクロヘキサンジメタノールとビスフェノールＡアルキレンオキサイド付加物を必須成分」としているのに対して、刊行物２記載の発明においては、多価アルコール成分の特定がなされていない点において、構成上の差異がある（上記記載２−イ参照）。この点について検討するに、刊行物２には、非線状化ポリエステル樹脂のアルコール成分として多数の化合物が例示されている中に、１，４−シクロヘキサンジメタノール、ビスフェノールＡのエチレンオキシド又はプロピレンオキシド付加物も記載されてはいるが（上記記載２−ロ参照）、特にこれらを併用して用いることについては何も記載がなく、実施例においては、多価アルコール成分としてポリオキシプロピレン（２，５）−２，２−ビス（４−ヒドロキシフェニル）プロパン（実施例１および実施例２参照）、ポリオキシプロピレン（２，５）−２，２−ビス（４−ヒドロキシフェニル）プロパンとエチレングリコール（実施例３参照）を用いることが記載されているだけである。
　よって、刊行物２には「多価アルコール成分としてシクロヘキサンジメタノールとビスフェノールＡアルキレンオキサイド付加物を必須成分」とする点が記載されていないことから、本件発明１が上記刊行物２に記載されているとすることはできない。
  刊行物３との対比：
　刊行物３には、３価のカルボン酸成分、２価のカルボン酸成分及びジオール成分を反応せしめてなる架橋ポリエステル樹脂の製造方法が記載されており、該ポリエステルのジオール成分として多数の化合物が例示されている中に、シクロヘキサンジメタノール、ポリオキシプロピレン（２．０）−２，２−ビス（４−ヒドロキシフェニル）プロパン、ポリオキシエチレン（２．０）−２，２−ビス（４−ヒドロキシフェニル）プロパンが記載されている。しかし、静電荷像現像用トナーに関しては、架橋ポリエステル樹脂がトナーの用途に用いられることが示唆されているにとどまり、実際に上記の架橋ポリエステル樹脂を用いたトナーが記載されているわけではないので、本件発明１が上記刊行物３に記載されているとすることはできない。
　刊行物４との対比：
　本件発明１と、上記刊行物４記載の発明とを比較すると、両者は「静電荷像現像用トナー」である点で共通するものであるが、本件発明１においては、トナーの結着樹脂が「多価アルコール成分としてシクロヘキサンジメタノールとビスフェノールＡアルキレンオキサイド付加物を必須成分とするポリエステル樹脂」であるのに対して、刊行物４記載の発明においては、トナーの結合樹脂が特定されていない点において、構成上の差異がある（上記記載４−イ参照）。この点について検討するに、刊行物４には、結合樹脂としてポリエステル樹脂を使用することが記載され（上記記載４−ロ参照）、該ポリエステル樹脂のアルコール成分として多数の化合物が例示されている中に、シクロヘキサンジメタノール、ビスフェノールＡとエチレンオキシドあるいはプロピレンオキシドとの反応物も記載されてはいるが（上記記載４−ハ参照）、特にこれらを併用して用いることについては何も記載がなく、実施例においては、アルコール成分として、１，６−ヘキサンジオール、ネオペンチルグリコール、１，４−シクロヘキサンジメタノールを用いることが記載されているだけである（上記記載４−ニ参照）。
　よって、刊行物４には「多価アルコール成分としてシクロヘキサンジメタノールとビスフェノールＡアルキレンオキサイド付加物を必須成分」とする点が記載されていないことから、本件発明１が上記刊行物４に記載されているとすることはできない。
　刊行物５との対比：
　本件発明１と、上記刊行物５記載の発明とを比較すると、両者は「ポリエステル樹脂を結着樹脂として用いてなる静電荷像現像用トナー」である点で共通するものであるが、本件発明１においては、ポリエステル樹脂が「多価アルコール成分としてシクロヘキサンジメタノールとビスフェノールＡアルキレンオキサイド付加物を必須成分」としているのに対して、刊行物５記載の発明においては、「ポリエステル樹脂としてアルコール成分であるエチレングリコール成分を全構成成分に対して２５モル％以上含有」している点において、構成上の差異がある（上記記載５−イ参照）。この点について検討するに、刊行物５には、ポリエステル樹脂のアルコール成分としてエチレングリコールと併用できる多数の化合物が例示されている中に、１，４−シクロヘキサンジメタノール、ビスフェノールＡとエチレンオキシドあるいはプロピレンオキシドの反応物も記載されてはいるが（上記記載５−ロ参照）、特に１，４−シクロヘキサンジメタノールと、ビスフェノールＡとエチレンオキシドあるいはプロピレンオキシドの反応物を併用して用いることについては何も記載がなく、実施例においては、アルコール成分としてエチレングリコール、１，４ブタンジオール、およびネオペンチルグリコール（実施例１および実施例２参照）、エチレングリコール、ネオペンチルグリコール、１，４−シクロヘキサンジメタノール、および１，６−ヘキサンジオール（実施例３および実施例４参照）を用いることが記載されているだけである。
　よって、刊行物５には「多価アルコール成分としてシクロヘキサンジメタノールとビスフェノールＡアルキレンオキサイド付加物を必須成分」とする点が記載されていないことから、本件発明１が上記刊行物５に記載されているとすることはできない。
　刊行物６との対比：
　本件発明１と、上記刊行物６記載の発明とを比較すると、両者は「ポリエステル樹脂を結着樹脂として用いてなる静電荷像現像用トナー」である点で共通するものであるが、本件発明１においては、ポリエステル樹脂が「多価アルコール成分としてシクロヘキサンジメタノールとビスフェノールＡアルキレンオキサイド付加物を必須成分」としているのに対して、刊行物６記載の発明においては、多価アルコール成分の特定がなされていない点において、構成上の差異がある（上記記載６−イ参照）。この点について検討するに、刊行物６には、ポリエステル樹脂のアルコール成分として多数の化合物が例示されている中に、１，４シクロヘキサンジメタノール、ビスフェノールＡのエチレンオキシド又はプロピレンオキシド付加物も記載されてはいるが（上記記載５−ロ参照）、特にこれらを併用して用いることについては何も記載がなく、実施例においても、結晶性ポリエステルのアルコール成分として１，４−ブタンジオール（実施例１及び実施例４参照）、エチレングリコールと１，４−シクロヘキサンジメタノール（実施例２参照）、１，４−ブタンジオールと１，６−ヘキサンジオール（実施例３参照）を用いることが記載されているだけである。
　よって、刊行物６には「多価アルコール成分としてシクロヘキサンジメタノールとビスフェノールＡアルキレンオキサイド付加物を必須成分」とする点が記載されていないことから、本件発明１が上記刊行物６に記載されているとすることはできない。
（請求項２〜５について）
  本件請求項２ないし請求項５に係る発明は、いずれも本件請求項１に係る発明の構成をその主たる構成として含むものである。しかし、本件請求項１に係る発明は、上述したように刊行物１ないし刊行物６に記載された発明とは認められず、同様の理由により、本件請求項２ないし請求項５に係る発明もまた、上記刊行物１ないし刊行物６に記載された発明とは認められない。
ｂ．特許法第２９条第２項違反について
（請求項１について）
  本件発明１と、上記刊行物１に記載された発明とを比較すると、両者は「ポリエステル樹脂を結着樹脂として用いてなる静電荷像現像用トナー」である点で一致し、一方、本件発明１においては、ポリエステル樹脂が「多価アルコール成分としてシクロヘキサンジメタノールとビスフェノールＡアルキレンオキサイド付加物を必須成分」としているのに対して、刊行物１記載の発明においては、多価アルコール成分の特定がなされていない点で相違している。
　そこで上記相違点について検討するに、本件発明１において結着樹脂であるポリエステル樹脂の多価アルコール成分としてシクロヘキサンジメタノールとビスフェノールＡアルキレンオキサイド付加物を必須成分としているのは、耐熱凝集性の改良効果を得るためである（本件特許公報第２頁第４欄第４行〜第１５行参照」）。これに対して、刊行物１あるいは刊行物２に記載の発明においては、耐オフセット性や定着性、高湿時の環境変動に関する課題が認識され（上記記載１−ロ、２−ロ、２−ニ参照）、これを解決するために特定の組成を有するポリエステル樹脂を結着樹脂として用いているものの、トナーの耐熱凝集性については認識されておらず、これをポリエステル樹脂の多価アルコール成分の特定の組合せによって改良するという技術思想も存在していない。また、刊行物１ないし刊行物６に記載されている如く、シクロヘキサンジメタノールとビスフェノールＡアルキレンオキサイド付加物は、ポリエステル樹脂の多価アルコール成分としてよく知られているものであるとしても、多数の化合物の中から特定の目的のためにシクロヘキサンジメタノールとビスフェノールＡアルキレンオキサイド付加物の組合せを選択することが、当業者にとって容易であるとも認められないことから、刊行物１ないし刊行物６の記載を組み合わせてみても上記相違点にあげられた構成を導き出すことはできない。そして本件発明１は、上記相違点に挙げられた構成を備えることによって、耐熱凝集性、定着性、耐オフセット性の優れたトナーを得ることができるという明細書記載の効果を奏するものである。
　したがって、本件発明１は、上記刊行物１ないし刊行物６に記載された発明に基づいて当業者が容易になし得た発明とは認められない。
（請求項２〜５について）
  本件請求項２ないし請求項５に係る発明は、いずれも本件請求項１に係る発明の構成をその主たる構成として含むものである。しかし、本件請求項１に係る発明は、上述したように刊行物１ないし刊行物６に記載された発明に基づいて当業者が容易になし得た発明とは認められず、同様の理由により、本件請求項２ないし請求項５に係る発明もまた、上記刊行物１ないし刊行物６に記載された発明に基づいて当業者が容易になし得た発明とは認められない。
IV．むすび
  以上のとおりであるから特許異議の申立ての理由によっては本件請求項１ないし請求項５に係る特許を取り消すことはできない。
　また、他に本件請求項１ないし請求項５に係る発明についての特許を取り消すべき理由を発見しない。
　したがって、本件請求項１ないし請求項５に係る発明の特許は、拒絶の査定をしなければならない特許出願に対してされたものと認めないから、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年９月２７日（２００１．９．２７）
【訂正の要旨】
訂正の要旨［特許第２９３６６４３号］
　特許第２９３６６４３号発明の明細書を、下記のとおり訂正する。
１．特許請求の範囲の、
「【請求項１】多価アルコール成分としてシクロヘキサンジメタノールを必須成分とするポリエステル樹脂を結着樹脂として用いてなる静電荷像現像用トナー。
　【請求項２】ポリエステル樹脂が多塩基酸成分として芳香族多塩基酸を必須成分とする請求項第１項記載のトナー。
　【請求項３】多価アルコール成分としてシクロヘキサンジメタノールとビスフェノールＡアルキレンオキサイド付加物を必須成分とするポリエステル樹脂を結着樹脂として用いてなる静電荷像現像用トナー。
　【請求項４】多塩基酸成分としてテレフタル酸を必須成分とし、多価アルコール成分としてシクロヘキサンジメタノールとビスフェノールＡアルキレンオキサイド付加物を必須成分としてなるポリエステル樹脂を結着樹脂として用いてなる静電荷像現像用トナー。
　【請求項５】シクロヘキサンジメタノールが全多価アルコール中５〜８０モル％である請求項第４項記載のトナー。
　【請求項６】ポリエステル樹脂が多塩基酸成分として３官能以上の多塩基酸を用いてなる請求項第１項記載のトナー。」との記載を、特許請求の範囲の減縮並びに明瞭でない記載の釈明を目的として、
「【請求項１】多価アルコール成分としてシクロヘキサンジメタノールとビスフェノールＡアルキレンオキサイド付加物を必須成分とするポリエステル樹脂を結着樹脂として用いてなる静電荷像現像用トナー。
　【請求項２】ポリエステル樹脂が多塩基酸成分として芳香族多塩基酸を必須成分とする請求項第１項記載のトナー。
　【請求項３】多塩基酸成分としてテレフタル酸を必須成分とし、多価アルコール成分としてシクロヘキサンジメタノールとビスフェノールＡアルキレンオキサイド付加物を必須成分としてなるポリエステル樹脂を結着樹脂として用いてなる静電荷像現像用トナー。
　【請求項４】シクロヘキサンジメタノールが全多価アルコール中５〜８０モル％である請求項第３項記載のトナー。
　【請求項５】ポリエステル樹脂が多塩基酸成分として３官能以上の多塩基酸を用いてなる請求項第１項記載のトナー。」と訂正する。
２．明細書第４頁第１０行（特許公報第２頁第３欄第２９行参照）の、
「シクロヘキサンジメタノール」との記載を、明瞭でない記載の釈明を目的として、
「シクロヘキサンジメタノールとビスフェノールＡアルキレンオキサイド付加物」と訂正する。
３．明細書第５頁第７行（特許公報第２頁第３欄第４２行〜第４３行参照）の、
「シクロヘキサンジメタノール」との記載を、明瞭でない記載の釈明を目的として、
「シクロヘキサンジメタノールとビスフェノールＡアルキレンオキサイド付加物」と訂正する。
４．明細書第６頁第６行〜第７行（特許公報第２頁第４欄第１０行参照）の、
「の併用が好ましいが」との記載を、明瞭でない記載の釈明を目的として、
「を併用するものであるが」と訂正する。
５．明細書第９頁第３行〜第５行（特許公報第３頁第５欄第１０行〜第６欄第１行参照）の、
「シクロヘキサンジメタノール１５４４部（１０．７モル相当）、イソフタル酸１６６０部（１０モル相当）」との記載を、明瞭でない記載の釈明を目的として、
「シクロヘキサンジメタノール７９２部（５．５モル相当）、ビスフェノールＡアルキレンオキサイド２．２モル付加物１７８９部（５．５モル相当）、イソフタル酸８３０部（５モル相当）、テレフタル酸８３０部（５モル相当）」と訂正する。
６．明細書第９頁第１１行（特許公報第３頁第６欄第６行参照）の、
「合成例２〜８」との記載を、明瞭でない記載の釈明を目的として、
「合成例２〜５」と訂正する。
７．明細書第１０頁（特許公報第４頁参照）表−１中、及び明細書第１１頁（特許公報第５頁参照）表−２中、合成例Ｎｏの「１」、「４」の項を、明瞭でない記載の釈明を目的として、削除する。
８．明細書第１０頁（特許公報第４頁参照）表−１中、及び明細書第１１頁（特許公報第５頁参照）表−２中、合成例Ｎｏの「５」の項を、誤記の訂正を目的として、削除する。
９．明細書第１０頁（特許公報第４頁参照）表−１中、及び明細書第１１頁（特許公報第５頁参照）表−２中、合成例Ｎｏの「２」「３」「６」「７」「８」を、明瞭でない記載の釈明を目的として、それぞれ「１」「２」「３」「４」「５」と訂正する。
１０．明細書第１２頁第１行及び第２行（特許公報第５頁第９欄第４６行及び第４７行参照）の、
「実施例１〜８」との記載を、明瞭でない記載の釈明を目的として、
「実施例１〜５」と訂正する。
１１．明細書第１３頁（特許公報第６頁参照）表−３中、実施例Ｎｏ及び使用樹脂の「１」、「４」の項を、明瞭でない記載の釈明を目的として、削除する。
１２．明細書第１３頁（特許公報第６頁参照）表−３中、実施例Ｎｏ及び使用樹脂の「５」の項を、誤記の訂正を目的として、削除する。
１２．明細書第１３頁（特許公報第６頁参照）表−３中、実施例Ｎｏ及び使用樹脂の「２」「３」「６」「７」「８」を、明瞭でない記載の釈明を目的として、それぞれ「１」「２」「３」「４」「５」と訂正する。
（５４）【発明の名称】
静電荷像現像用トナー
（５７）【特許請求の範囲】
　【請求項１】多価アルコール成分としてシクロヘキサンジメタノールとビスフェノールＡアルキレンオキサイド付加物を必須成分とするポリエステル樹脂を結着樹脂として用いてなる静電荷像現像用トナー。
　【請求項２】ポリエステル樹脂が多塩基酸成分として芳香族多塩基酸を必須成分とする請求項第１項記載のトナー。
　【請求項３】多塩基酸成分としてテレフタル酸を必須成分とし、多価アルコール成分としてシクロヘキサンジメタノールとビスフェノールＡアルキレンオキサイド付加物を必須成分としてなるポリエステル樹脂を結着樹脂として用いてなる静電荷像現像用トナー。
　【請求項４】シクロヘキサンジメタノールが全多価アルコール中５〜８０モル％である請求項第３項記載のトナー。
　【請求項５】ポリエステル樹脂が多塩基酸成分として３官能以上の多塩基酸を用いてなる請求項第１項記載のトナー。
【発明の詳細な説明】
　【０００１】
　〔産業上の利用分野〕
　本発明は電子写真、静電記録、静電印刷などにおける静電荷像を現像するための静電荷像現像用トナーに関するものである。
　【０００２】
〔従来の技術〕
　電子写真法は、一般には光導電性物質を利用し、種々の手段により感光体に静電荷像を形成し、この静電荷像をトナーで現像し、次に紙等の転写材に定着される。
　一方、近年の情報化社会の急速な発展は、複写機、プリンター等電子写真の分野において、記録コピーのより高速化、画質の鮮明化が求められており、トナーに用いられる結着樹脂としてより定着性能の優れた樹脂が望まれている。
　【０００３】
　一般にかかる結着樹脂としては例えば、特公昭５５−６８９５号公報にみられるスチレン・アクリル樹脂、特開昭６２−６７５６２号公報にみられるエポキシ樹脂等が用いられるが、特にポリエステル樹脂は特開昭６０−１１２０５２号公報にもみられるように定着性に優れるため高速コピー用に適している。しかしながら、ポリエステル樹脂はトナーの結着樹脂として用いた場合、連続コピー時にトナー及びキャリヤー或いは磁性粉との摩擦により蓄熱、熱凝集を起こし易く、その改良が望まれている。
　【０００４】
又、ヒートロール定着法はヒートロール表面に直接紙等に転写されたトナー現像が接触し、ヒートロールの熱と圧によりトナーが紙等に溶融、定着されるが、その際トナー現像の一部がローラー表面に付着転移し、更にこの転移物が次の紙等の転写材に再転移する、いわゆるオフセット現象を生じコピートラブルを生じることがあり、特にポリエステル樹脂はその傾向が強く、その改良が望まれている。
　【０００５】
〔発明が解決しようとする課題〕
　本発明は特定のポリエステル樹脂を結着樹脂として用いて定着性、耐熱凝集性、耐オフセット性の改良されたトナーを提供するものである。
　【０００６】
〔課顆を解決するための手段〕
　本発明は、特にポリエステル樹脂を構成するアルコール成分としてシクロヘキサンジメタノールとビスフェノールＡアルキレンオキサイド付加物を必須成分として用いる事により本発明に到達したものである。
　【０００７】
　本発明は、特にポリエステル樹脂を構成する多塩基酸成分としては、例えば、コハク酸、アジピン酸、セバシン酸、アゼライン酸、ドゼセニルコハク酸、ｎ−ドデシルコハク酸、マロン酸、マレイン酸、フマール酸、シトラコン酸、イタコン酸、グルタコン酸、シクロヘキサンジカルボン酸、オルソフタル酸、イソフタル酸、テレフタル酸等の二塩基酸類、トリメリット酸、トリメチン酸、ピロメリット酸等の三塩基以上の酸類及びこれらの無水物、低級アルキルエステル類が単独で又は混合して使用されるが耐熱凝集性の点より芳香族多塩基酸類が好ましく、特にテレフタル酸が好ましい。
　【０００８】
　本発明を構成する多価アルコール成分としてはシクロヘキサンジメタノールとビスフェノールＡアルキレンオキサイド付加物を必須成分とし、その他の多価アルコールとしてエチレングリコール、トリエチレングリコール、１，２−プロピレングリコール、１，３−プロピレングリコール、１，４−ブタンジオール、１，３−ブタンジオール、１，４−ブテンジオール、１，５−ペンタンジオール、１，６−ヘキサンジオール、水添ビスフェノールＡ、水添ビスフェノールＡアルキレンオキサイド付加物等の２価アルコール類、グリセリン、トリメチロールエタン、トリメチロールプロパン、トリスヒドロキシエチルイソシアヌレート、ペンタエリスリトール等の３価以上のアルコール類が単独で又は混合して使用される。ビスフェノールＡアルキレンオキサイドは、耐熱凝集性の点からビスフェノールＡエチレンオキサイド付加物が好ましい。
　【０００９】
　前述の如く、耐熱凝集性の点より多価アルコール成分としてはシクロヘキサンジメタノールとビスフェノールＡエチレンオキサイド付加物を併用するものであるが、その併用比率は全多価アルコール成分中シクロヘキサンジメタノールが好ましくは５〜８０モル％、より好ましくは１０〜７０モル％の範囲である。シクロヘキサンジメタノールの量がこの範囲であると、特に良好な画質が得られ、又耐熱凝集性の改良効果が大きい。
　【００１０】
　本発明におけるポリエステル樹脂の物性値としては特に制限されるものではないが、トナーとしての適性上環球法軟化点が８０〜１６０℃、溶融粘度が１００℃で５×１０４ポイズ以上、１２０℃で１×１０７ポイズ以下、Ｔｇが５０〜８０℃の範囲のものが好ましく、これらの物性値がこの範囲であれば、特に耐オフセット性、定着性に優れる。又、本発明におけるポリエステル樹脂の酸価は３０ｍｇ・ＫＯＨ／ｇ以下、水酸基価は６０ｍｇ・ＫＯＨ／ｇ以下が好ましく、この範囲であれば特に帯電性の環境依存性が良好である。
　【００１１】
　本発明におけるポリエステル樹脂を用いたトナーの製造及びトナーの配合を記載する。
　先ず、本発明にかかわる結着樹脂を粗砕し、着色剤、摩擦帯電性を調整するための帯電制御剤、オフセット防止及びトナー粉末の流動性付与の為の滑剤等を加え、プレミックスし、押出し機、加圧ニーダー等で溶融混練後、粉砕分級してトナーを得るものである。
　【００１２】
　着色剤としては例えば、黒色顔料としてチャンネルブラック、ファーネスブラック、サーマルブラック等があり、着色顔料としてはカドミウムイエロー、ハンザイエローＧ、ナフトール・イエローＳ、ピラゾロンレッド、パーマネント・レッド４Ｒ、モリブデンオレンジ、ファーストバイオレッドＢ、フタロシアニンブルーＢ、ファーネスト・スカイブルー、フタロシアニングリーン、マラカイトグリーン、ナフトール・グリーンＢ等があり、又、磁性粉をトナーの一成分として用いる一成分トナーの磁性粉として例えば、鉄、コバルト、ニッケルなどの強磁性金属の粉末もしくはマグネタイト、ヘマタイト、フェライト等の合金や化合物の粉末も着色剤兼磁性材料として用いられる。
　【００１３】
又、帯電制御剤としては正帯電を与えるものとしてニグロシン系染料、アルコオキシ化アミン、第４級アンモニウム塩、アルキルアミド、リン及びタングステンの単独および化合物、モリブデン酸キレート顔料、弗素系活性剤、疎水性シリカ等が用いられる。
　【００１４】
負帯電を与えるものとして、モノアゾ染料の金属錯塩、電子受容性の有機錯体、塩素化ポリオレフィン、塩素化ポリエステル等が用いられる。又、滑剤としてはコロイダルシリカ、シリコーンワニス、金属セッケン、低分子量ポリエチレン、低分子量ポリプロピレン、カルナバワックス等が用いられる。
　【００１５】
［実施例］
　以下に実施例、比較例等を記載し本発明を詳述する。なお、例中の部は重量基準である。
（合成例−１）
　攪拌機、温度計、Ｎ２ガス導入管、充填塔付き環流管を有するフラスコにシクロヘキサンジメタノール７９２部（５．５モル相当）、ビスフェノールＡエチレンオキサイド付加物１７８９部（５．５モル相当）、テレフタル酸８３０部（５モル相当）、イソフタル酸８３０部（５モル相当）、ファスキャット４１００（大日本インキ化学工業（株）製モノブチルスズオキサイド）３．２部を仕込み、Ｎ２ガス気流下撹拌加熱昇温２４０℃にて脱水縮合を行い酸価３ｍｇ・ＫＯＨ／ｇ迄反応後取り出し固形のポリエステル樹脂を得た。
　【００１６】
（合成例２〜５、比較合成例１〜３）
　合成例−１と同様にしてポリエステル樹脂を合成した。合成例２〜５、比較合成例１〜３で使用した原料組成を表−１に又、得られた各ポリエステル樹脂の物性値を表−２に示す。
　【００１７】
　【表１】
　【００１８】
　【表２】
　【００１９】
　（実施例１〜５、比較例１〜３）
　合成例１〜５及び比較合成例１〜３で得られたポリエステル樹脂を用い、下記の方法でトナーを作成した。
　結着樹脂１００部、カーボンブラック５部、ビスコール５５０−Ｐ（三洋化成製低分子量ポリプロピレンワックス）４部、ボントロンＳ−３４（オリエント化学製クロム錯塩系帯電制御剤）２部を混合し加圧ニーダーで溶融混練後、ジェットミルで粉砕、粒子径５〜１５μｍを分級採取し、平均粒径１２μｍのトナーを得た。
　【００２０】
　得られたトナー７部、鉄粉キャリヤ９３部を混合、現像剤を調整、市販電子写真複写機にて画像出しを行い２８０ｍｍ／ｓｅｃのスピードのヒートローラー定着装置にて定着テストを行った。その結果を表−３に示す。
　【００２１】
　【表３】
　【００２２】
　〔発明の効果〕
　本発明のポリエステル樹脂を結着樹脂として用いることにより耐熱凝集性、定着性、耐オフセット性の優れたトナーを得る事ができる。